(57)【要約】      （修正有）【課題】トランスポートブロックを構成する複数のコードブロックの、通信品質が異なる複数の周波数帯域へのマッピングを均等化して送受信し、効率的な通信を行う。【解決手段】送信装置Ａに入力するトランスポートブロック２３は送信するデータであり、コードブロック分割部５ｂは、トランスポートブロックデータ２３を複数のコードブロックに分割し、符号化部５ｃは、各コードブロックについて符号化処理を行い、コードブロック結合部５ｄは、制御情報２１とコードブロック結合順序記憶部５ａに格納された情報に従って各コードブロックを結合する。マッピング部１５は、トランスポートブロック送信処理部５および制御情報送信処理部７からそれぞれ出力される、送信処理済みのトランスポートブロックコードワードと制御情報コードワードとに対して、通信リソースへのマッピングおよび変調処理などを行い、無線信号としてアンテナ部１７を通して外部に出力する。【選択図】図１
2010093449.tif 000002
【特許請求の範囲】
【請求項１】
一つのトランスポートブロックを複数のコードブロックに分割し、前記コードブロックそれぞれに対して誤り訂正符号化を行い、再びそれらのコードブロックを結合して送信する送信装置であって、
分割されて誤り訂正符号化された前記コードブロックを結合する際に、前記コードブロックの結合順序を変えるコードブロック結合部を有することを特徴とする送信装置。
【請求項２】
前記コードブロックの結合順序は、制御情報によって前記送信装置から受信装置に送られることを特徴とする請求項１に記載の送信装置。
【請求項３】
前記コードブロックの結合順序は、冗長バージョンの値によって決まることを特徴とする請求項１又は２に記載の送信装置。
【請求項４】
前記コードブロックの結合順序は、送信回数によって決まることを特徴とする請求項１又は２に記載の送信装置。
【請求項５】
前記コードブロックの結合順序は、各コードブロックをビット単位で順番に配置することを特徴とする請求項１又は２に記載の送信装置。
【請求項６】
前記コードブロックの結合順序変更は、ＲＲＣシグナリングによって開始または終了され、またコードブロック結合順序の変更方法をＲＲＣシグナリングによって指定できることを特徴とする請求項１又は２に記載の送信装置。
【請求項７】
請求項１に記載の送信装置から送信されたトランスポートブロックを受信する受信装置であって、
前記送信装置からコードブロックの結合順序が変えられて送信された複数のコードブロックを、元の順序どおりに並べ替えるトランスポートブロック復元部を有することを特徴とする受信装置。
【請求項８】
前記コードブロックの結合順序は、制御情報によって前記送信装置から前記受信装置に送られることを特徴とする請求項７に記載の受信装置。
【請求項９】
前記コードブロックの結合順序は、冗長バージョンの値によって決まることを特徴とする請求項８に記載の受信装置。
【請求項１０】
前記コードブロックの結合順序は、送信回数によって決まることを特徴とする請求項８に記載の受信装置。
【請求項１１】
前記コードブロックの結合順序は、各コードブロックをビット単位で順番に配置することを特徴とする、請求項８に記載の受信装置。
【請求項１２】
前記コードブロックの結合順序変更は、ＲＲＣシグナリングによって開始または終了され、またコードブロック結合順序の変更方法をＲＲＣシグナリングによって指定できることを特徴とする、請求項８に記載受信装置。
【請求項１３】
請求項１から６までのいずれか１項に記載の送信装置、および、請求項７から１２までのいずれか１項に記載の受信装置を備えることを特徴とする通信システム。
【請求項１４】
一つのトランスポートブロックを複数のコードブロックに分割し、前記コードブロックそれぞれに対して誤り訂正符号化を行い、再びそれらのコードブロックを結合して送信する送信方法であって、
分割されて誤り訂正符号化された前記コードブロックを結合する際に、前記コードブロックの結合順序を変えるコードブロック結合ステップを有することを特徴とする送信方法。
【発明の詳細な説明】
【技術分野】
【０００１】
本発明は、データの送信装置と受信装置の技術に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本した携帯電話システムの仕様を検討・作成するプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。さらに、３ＧＰＰでは、第３世代無線アクセス技術を進化させたＥ−ＵＴＲＡ（Evolved Universal Terrestrial Radio Access）およびその発展形であるAdvanced Ｅ−ＵＴＲＡが検討されている。
【０００３】
図１５は、Ｅ−ＵＴＲＡにおけるデータの送信方法の例を示す図である（下記非特許文献１参照）。図１５に示すように、Ｅ−ＵＴＲＡでは、データの送受信単位としてトランスポートブロック（ＴＢ）１０１を定義し、これを複数のコードブロック（ＣＢ）１０３と呼ばれる小データに分割して、そのコードブロック毎に、ＣＲＣ（Cyclic Redundancy Check）１０５の計算およびその検査ビットの付加、誤り訂正符号化処理、レートマッチング処理などの符号化処理を行い、コードブロック毎のコードワード（符号語）１１１を作成する。その後、それらを再び一つに結合して、トランスポートブロックのコードワード１１５を作成する。そして、そのトランスポートブロックのコードワード１１５に対して、変調処理を行った後（トランスポートブロックの変調シンボル１１７）、通信リソースへのマッピングを行い、送信する（１２１・１２３・１２５）。受信側では、これら動作の逆を行って、トランスポートブロックの復元を行う。
【０００４】
また、Ｅ−ＵＴＲＡにおいては、無線伝搬路におけるノイズの混入などにより、データの送受信が正常に行われなかった場合の再送方式として、ＨＡＲＱ（Hybrid Automatic Repeat reQuest）が採用されている。この方式によると、データの送受信に失敗した場合、受信装置から再送要求が送信装置に送信され、これを受けた送信装置が前回と同じトランスポートブロックコードワードか、もしくはＲＶ（Redundancy Version、冗長バージョン）を変えたトランスポートブロックコードワードを送信することにより、受信装置にてより誤り訂正能力を向上させてトランスポートブロックの復元処理を行うことが可能となり、少ない再送回数で効率的にデータの送受信を行うことができる。
【０００５】
また、Advanced Ｅ−ＵＴＲＡにおいては、通信容量および伝送速度を飛躍的に向上させるために、複数の不連続な周波数帯域を、論理的に連続した一つの通信リソースのように扱うキャリアアグリゲーションと呼ばれる技術の採用も検討されている。
【０００６】
【非特許文献１】３ＧＰＰ  ＴＳ  ３６．２１２  Ｖ８．３．０  （２００８−０５）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｍｕｌｔｉｐｌｅｘｉｎｇ  ａｎｄ  ｃｈａｎｎｅｌ  ｃｏｄｉｎｇ  （Ｒｅｌｅａｓｅ  ８）
【発明の開示】
【発明が解決しようとする課題】
【０００７】
しかしながら、上述したような従来の技術においては、各コードブロックの符号化処理後のコードワードを結合してトランスポートブロックコードワードを作成する際に、常に同じ順序で結合されることになる。したがって、例えば図１５に示すように、キャリアアグリゲーションによって、複数の通信品質が異なる周波数帯域に対してトランスポートブロックコードワード１１５がマッピングされことを考えると、各コードブロックがマッピングされる周波数帯域は常に固定となり、その結果、コードブロック毎に伝送誤り率にばらつきが発生してしまう。このため、たとえ上記のＨＡＲＱによる再送技術を適用したとしても、通信品質が劣悪な周波数帯域にマッピングされるコードブロックは、再送時も受信が失敗することも考えられる。さらに、ＨＡＲＱの再送処理はトランスポートブロック単位で行われるため、それを構成するコードブロックのうちひとつでも受信に失敗すると、トランスポートブロック全体の再送を行うことになり、効率が非常に悪いという問題点があった。
【０００８】
本発明は、このような実情に鑑みてなされたものであり、通信品質が異なる複数の周波数帯域に複数のコードブロックで構成されるトランスポートブロックをマッピングして送受信する際に、各コードブロックの周波数帯域へのマッピングを均等化し、効率的な通信を行うことを目的とする。
【課題を解決するための手段】
【０００９】
上記の目的を達成するため、本発明は、以下のような手段を講じた。
【００１０】
（１）一つのトランスポートブロックを複数のコードブロックに分割し、前記コードブロックそれぞれに対して誤り訂正符号化を行い、再びそれらのコードブロックを結合して送信する送信装置であって、分割されて誤り訂正符号化された前記コードブロックを結合する際に、前記コードブロックの結合順序を変えることができることを特徴としている。
【００１１】
（２）また、前記送信装置から送信されたトランスポートブロックを受信する受信装置であって、前記送信装置からコードブロックの結合順序を変えて送信された複数のコードブロックを、元の順序どおりに並べ替えることを特徴としている。
【００１２】
（３）また、本発明の送信装置および受信装置は、前記コードブロックの結合順序を、制御情報によって前記送信装置から前記受信装置に送られることを特徴としている。
【００１３】
このように、複数の通信品質の異なる周波数帯域を使用して、複数のコードブロックで構成されるトランスポートブロックを送信する場合でも、特定のコードブロックが常に同じ周波数帯域に割り当てられて送信されることがなくなるので、コードブロック毎の通信品質の偏りを抑えることができ、効率的な通信を行うことができる。
【００１４】
（４）また、本発明の送信装置および受信装置は、ＨＡＲＱの冗長バージョンの値によってコードブロックの結合順序が決まることを特徴としている。
【００１５】
このように、複数の通信品質の異なる周波数帯域を使用して、複数のコードブロックで構成されるトランスポートブロックを送受信する場合でも、コードブロックの結合順序をＨＡＲＱの冗長バージョンの値に応じて変えることができ、制御情報の情報量を増やすことなく、特定のコードブロックが常に同じ周波数帯域に割り当てられて送信されることがなくなるので、コードブロック毎の通信品質の偏りを抑えることができ、効率的な通信を行うことができる。
【００１６】
（５）また、本発明の送信装置および受信装置は、送信回数によってコードブロックの結合順序が決まることを特徴としている。
【００１７】
このように、複数の通信品質の異なる周波数帯域を使用して、複数のコードブロックで構成されるトランスポートブロックを送受信する場合でも、コードブロックの結合順序を送信回数に応じて変えることができ、制御情報の情報量を増やすことなく、特定のコードブロックが常に同じ周波数帯域に割り当てられて送信されることがなくなるので、コードブロック毎の通信品質の偏りを抑えることができ、効率的な通信を行うことができる。
【００１８】
（６）また、本発明の送信装置および受信装置は、各コードブロックをビット単位で順番に配置して結合することを特徴とする。
【００１９】
このように、複数の通信品質の異なる周波数帯域を使用して、複数のコードブロックで構成されるトランスポートブロックを送受信する場合でも、各コードブロックを均等に各周波数帯域にマッピングすることが可能となり、各コードブロックの通信品質の偏りを抑えることができるため、効率的な通信が可能となる。
【００２０】
（７）また、本発明の送信装置および受信装置は、コードブロックの結合順序の変更をＲＲＣシグナリングなどの上位レイヤによって開始または終了され、またコードブロック結合順序の変更方法をＲＲＣシグナリングなどの上位レイヤによって指定されることを特徴とする。
【００２１】
このように、ＲＲＣシグナリングなどの上位レイヤで開始や終了、およびコードブロック結合順序決定方法の指定が行えるので、例えばチャネルの種別によってコードブロックの結合順序変更を行うか行わないか、あるいは伝搬路状況に応じたコードブロック結合順序決定方法の選択が行えるようになり、状況に応じて最適な通信方法を選択することができる。
【００２２】
（８）また、本発明の通信システムは、送信装置および受信装置を、基地局装置および移動局装置がそれぞれ具備することによって構成されることを特徴としている。
【００２３】
この構成により、複数の通信品質の異なる周波数帯域を使用して、複数のコードブロックで構成されるトランスポートブロックの送受信を、効率的に行うことができる通信システムを提供することができる。
【発明を実施するための最良の形態】
【００２４】
以下、本発明の実施の形態について、図面を参照しながら説明する。尚、以下の説明において、本発明を移動通信システムに具現化する場合について説明するが、これに限定されるものではなく、移動通信方法としても特定することができるものである。
【００２５】
（第１の実施の形態）
図１は、本発明の第１の実施の形態による送信装置の一構成例を示す機能ブロック図である。図１に示すように、本実施の形態による送信装置Ａは、トランスポートブロック送信処理部５、制御情報送信処理部７、受信結果情報受信処理部１１、マッピング部１５、を含む機能部１と、アンテナ部１７とにより構成されている。送信装置Ａには、上位レイヤ３よりトランスポートブロック２３および制御情報２１が入力される。トランスポートブロック２３は送信するデータであり、制御情報２１には、トランスポートブロック２３のデータサイズ、ＭＣＳ（変調方式、符号化方式を指定する情報）、ＨＡＲＱのＲＶ（Redundancy Version、冗長バージョン）、通信リソースの容量、など、トランスポートブロックを送信するために必要な情報が含まれている。
【００２６】
トランスポートブロック送信処理部５は、入力されたトランスポートブロック２３を、制御情報にしたがって送信処理を行い、トランスポートブロックコードワードをマッピング部１５に出力する。制御情報送信処理部７は、入力された制御情報２１を送信するための処理を行い、制御情報コードワードを出力する。マッピング部１５は、トランスポートブロック送信処理部５および制御情報送信処理部７からそれぞれ出力される、送信処理済みのトランスポートブロックコードワードと制御情報コードワードとに対して、通信リソースへのマッピングおよび変調処理などを行い、無線信号としてアンテナ部１７を通して外部に出力する。また、受信結果情報受信処理部１１は、アンテナ部１７より受信した受信結果情報の受信処理を行い、受信結果情報２５を上位レイヤ３に出力する。
【００２７】
さらに、トランスポートブロック送信処理部５は、コードブロック分割部５ｂ、符号化部５ｃ、コードブロック結合順序記憶部５ａ、コードブロック結合部５ｄ、メモリ部５ｅを有している。
【００２８】
コードブロック分割部５ｂは、上位レイヤ３から入力されたトランスポートブロックデータを複数のコードブロックに分割する。符号化部５ｃは、各コードブロックについてＣＲＣ検査ビット付加処理や誤り訂正符号化処理、レートマッチング処理などを行って、その処理後のデータをコードブロックコードワードとしてコードブロック結合部５ｄに出力する。コードブロック結合順序記憶部５ａは、上位レイヤ３から入力されるコードブロックの結合順序を格納しておく。このコードブロック結合順序記憶部５ａの結合順序記憶方法については、後述する。
【００２９】
コードブロック結合部５ｄは、符号化部５ｃから出力された各コードブロックコードワードを、上位レイヤ３から入力された制御情報とコードブロック結合順序記憶部５ａに格納された情報にしたがって結合し、トランスポートブロックコードワードとしてマッピング部１５に出力する。尚、この結合方法についての詳細は、後述する。メモリ部５ｅは、コードブロック分割部５ｂ、符号化部５ｃ、コードブロック結合部５ｄが、それぞれの処理を行うデータの格納・出力を行う。
【００３０】
図２は、本発明の第１の実施の形態による受信装置の一構成例を示す機能ブロック図である。図２に示すように、本実施の形態による受信装置Ｂは、トランスポートブロック受信処理部３５、制御情報受信処理部３７、デマッピング部４５、受信結果情報送信処理部４１、を含む機能部３１と、アンテナ部４７と、を有して構成される。アンテナ部４７において受信された無線信号は、デマッピング部４５により復調処理およびデマッピング処理などが行われ、その結果制御情報コードワードおよびトランスポートブロックコードワードに分離され、それぞれ制御情報受信処理部３７とトランスポートブロック受信処理部３５に出力される。制御情報受信処理部３７は、制御情報コードワードに受信処理を行って制御情報５１を取り出し、上位レイヤ３３およびトランスポートブロック受信処理部３５に出力する。トランスポートブロック受信処理部３５は、制御情報受信処理部３７から入力される制御情報５１に従い、デマッピング部４５から入力されるトランスポートブロックコードワードの受信処理を行ってトランスポートブロック５５を復元し、上位レイヤ３３に出力する。また、復元したトランスポートブロック５５の復号結果が正しいか否かをＣＲＣによって検査し、その結果も復号結果情報５３として、上位レイヤ３３に出力する。受信結果情報送信処理部４１は、上位レイヤ３３から入力されるトランスポートブロックの受信結果情報５７の送信処理を行い、アンテナ部４７を通して送信する。
【００３１】
さらに、トランスポートブロック受信処理部３５は、コードブロック結合順序記憶部３５ａ、コードブロック分離部３５ｄ、復号部３５ｃ、トランスポートブロック復元部３５ｂ、メモリ部３５ｅ、を有している。コードブロック分離部３５ｄは、入力されるトランスポートブロックコードワードを、制御情報受信処理部３７より入力される制御情報５１に従い、コードブロック毎のコードブロックコードワードに分離し、さらにそれらをコードブロック１から順番に並べ替えて、復号部３５ｃに出力する。復号部３５ｃは、各コードブロックコードワードに対して、レートデマッチング処理、誤り訂正復号処理を行い、コードブロック毎にコードブロックデータを復元する。さらに、その各コードブロックデータに対して、ＣＲＣによる受信誤りの検査を行い、その結果を復号結果情報として上位レイヤ３３に出力する。
【００３２】
図３は、本実施の形態によるコードブロックの結合順序の一例を表す図である。図３に示すように、各結合順序には、各々を識別するための結合順序インデックス０、１、２、…が付けられている。例えば、インデックス０の場合は、コードブロック（ＣＢ）１からコードブロック（ＣＢ）６までが順番に結合され、インデックス１の場合は、コードブロック３，４，５，６，１，２の順序で結合される。この結合順序インデックスと結合順序とは、送信装置Ａ内のコードブロック結合順序記憶部５ａおよび受信装置Ｂ内のコードブロック結合順序記憶部３５ａに格納されている。また、送信装置Ａ内のコードブロック結合部５ｄおよび受信装置Ｂ内のコードブロック分離部３５ｄは、コードブロックの結合処理あるいは分離処理を行う際に、上位レイヤからの制御情報に含まれる結合順序インデックスに合致する結合順序を、コードブロック結合順序記憶部５ａあるいは３５ａに格納されている情報から読み出して、それぞれの処理を行う。尚、ここで説明しているのはあくまでも一例であり、本発明は、この図に示す処理に限定されるものではない。
【００３３】
図４は、本実施の形態による送信装置および受信装置を用いて通信した場合のシーケンスの一例を示す図である。まず、送信装置Ａから受信装置Ｂに対して、トランスポートブロックと制御情報とが送信される。このとき、送信装置Ａは、コードブロック結合部５ｄにおいて各コードブロックを先頭からコードブロック１，２，３，４，５，６の順で結合し、制御情報に含まれる結合順序インデックスを０にして送信する（Ｌ１）。尚、本実施の形態では、一例として、通信品質が良好な周波数帯域Ａにコードブロック１および２を、通信品質が並（中間）の周波数帯域Ｂにコードブロック３および４に、そして通信品質が劣悪な周波数帯域Ｃにコードブロック５および６がマッピングされるとして説明する。そして、アンテナ部１７を通して受信装置Ｂに向けて無線信号として送信される。
【００３４】
一方、受信装置Ｂは、送信装置Ａから送られてきた無線信号をアンテナ部４７で受信し、デマッピング部４５において、制御情報コードワードとトランスポートブロックコードワードとに分離し、それぞれ制御情報受信処理部３７とトランスポートブロック受信処理部３５において受信処理を行う。このとき、トランスポートブロック受信処理部３５内のコードブロック分離部３５ｄでは、制御情報受信処理部３７からの制御情報に含まれるコードブロック結合順序インデックスの値（＝０）に従い、コードブロック結合順序記憶部３５ａに格納されているコードブロック結合順序を参照し、図３の結合順序インデックスが０の場合のとおりに、トランスポートブロックコードワードを先頭からコードブロック１，２，３，４，５，６に分離する。そして、コードブロック毎に復号部３５ｃにおいて、レートデマッチング処理、誤り訂正復号処理、およびＣＲＣによる復号結果の検査を行う。
【００３５】
その結果、一例として、図４に示すように（８１）、コードブロック１，２，４は復号結果がＯＫとなり、３，５，６は復号結果がＮＧとなったものとする。これにより、トランスポートブロック全体の復号結果としてはＮＧとなり、その復号結果情報が上位レイヤ３３に出力される。その後、上位レイヤ３３から受信装置Ｂに受信結果情報（ＮＡＣＫ）が出力され、受信装置Ｂ内の受信結果情報送信処理部４１において送信処理が行われ、送信装置Ａに向けて送信される（Ｌ２）。
【００３６】
次に、送信装置Ａにおいて受信装置Ｂから送信された受信結果情報を受信すると、受信結果情報受信処理部１１において受信処理が行われ、上位レイヤ３に出力される。その後、上位レイヤ３からトランスポートブロックの再送要求と、コードブロック結合情報インデックス１を含む制御情報が送信装置Ａに出力される。トランスポートブロック送信処理部５ａは、メモリ部５ｅ内に格納されている前回送信時に作成された各コードブロックコードワードを、コードブロック結合順序記憶部５ａに格納されているコードブロック結合インデックスが１のときのコードブロック結合順序に従い、図３の結合順序インデックスが１の場合のとおりに、コードブロック３，４，５，６，１，２の順で結合し、トランスポートブロックコードワードを作成する。そして、制御情報送信処理部７において送信処理されたコードブロック結合順序インデックス１を含む制御情報コードワードとともに、受信装置Ｂに向けて送信される（Ｌ３）。
【００３７】
一方、受信装置Ｂは、前回と同様に送信装置Ａから送られてきた無線信号をアンテナ部４７で受信し、デマッピング部４５において、制御情報コードワードとトランスポートブロックコードワードとに分離し、それぞれ制御情報受信処理部３７とトランスポートブロック受信処理部３５において受信処理を行う。このとき、トランスポートブロック受信処理部３５内のコードブロック分離部３５ｄでは、制御情報受信処理部３７からの制御情報に含まれるコードブロック結合順序インデックスの値（＝１）に従い、コードブロック結合順序記憶部３５ａに格納されているコードブロック結合順序を参照し、図３の結合順序インデックスが１の場合のとおりに、トランスポートブロックコードワードを先頭からコードブロック３，４，５，６，１，２の各コードブロックコードワードに分離し、さらにそれらをコードブロック１，２，３，４，５，６に並べ替える。そして、復号部３５ｃにおいてコードブロック毎にレートデマッチング処理、復号処理、ＣＲＣによる復号結果の検査を行う。その結果、前回の受信処理時に復号結果がＮＧとなったコードブロックのうち、通信品質が良好な通信帯域Ａで送信されたコードブロック３は今回の再送によって復号結果がＯＫとなり、通信品質が並の通信帯域Ｂで送信されたコードブロック５および６については、コードブロック５がＯＫ，コードブロック６がＮＧとなったものとする（８３）。その場合、前回と同様、トランスポートブロック全体としての復号結果は再度ＮＧとなり、上位レイヤ３３にその復号結果ＮＧが通知され、その後、上位レイヤ３３から出力される受信結果情報（ＮＡＣＫ）を、受信結果情報送信処理部４１で送信処理を行った後、送信装置Ａに向けて送信される（Ｌ４）。
【００３８】
次に、送信装置Ａは受信装置Ｂから送信された受信結果情報を再度受信すると、上記と同様の再送処理が行われる。但し、今回はコードブロック結合順序インデックスの値が２で設定され、コードブロック結合部５ｄにおいて、コードブロック結合順序記憶部５ａに格納されているコードブロック結合インデックスが２のときのコードブロック結合順序に従い、図３の結合順序インデックスが２の場合のとおりに、コードブロック５，６，１，２，３，４の順で結合し、トランスポートブロックコードワードを作成して、制御情報コードワードとともに受信装置Ｂに向けて送信する（Ｌ５）。受信装置Ｂでは、送信装置Ａからのコードブロック結合順序インデックス（＝２）を含む制御情報コードワードと、トランスポートブロックコードワードを受信し、それぞれの受信処理を行う。このとき、トランスポートブロック受信処理部３５内のコードブロック分離部３５ｄでは、制御情報受信処理部３７からの制御情報に含まれるコードブロック結合順序インデックスの値（＝２）に従い、コードブロック結合順序記憶部３５ａに格納されているコードブロック結合順序を参照し、図３の結合順序インデックスが２の場合のとおりに、トランスポートブロックコードワードを先頭からコードブロック５，６，１，２，３，４の各コードブロックコードワードに分離し、さらに、それらをコードブロック１，２，３，４，５，６に並べ替える。そして、復号部３５ｃにてコードブロック毎にレートデマッチング処理、復号処理、ＣＲＣによる復号結果の検査を行う。その結果、前回の受信処理時に復号結果がＮＧとなったコードブロック６についてもＣＲＣによる復号検査結果がＯＫとなったものとする（８５）。そして、トランスポートブロック復元部３５ｂにおいて、すべてのコードブロックを結合してトランスポートブロックを作成し、復号結果（ＯＫ）とともに、上位レイヤ３３に出力される。その後、上位レイヤ３３から受信結果情報（ＡＣＫ）が受信装置Ｂに入力され、受信結果情報送信処理部４１において送信処理が行われた後、送信装置Ａに向けて送信され（Ｌ６）、それを送信装置Ａが受信して処理が終了する。
【００３９】
このように、本発明の第１の実施の形態による送信装置および受信装置によれば、複数の通信品質の異なる周波数帯域を使用して、複数のコードブロックで構成されるトランスポートブロックを送信する場合でも、特定のコードブロックが常に同じ周波数帯域に割り当てられて送信されることがなくなるので、コードブロック毎の通信品質の偏りを抑えることができ、効率的な通信を行うことができる。
【００４０】
（第２の実施の形態）
次に、本発明の第２の実施の形態に係る送信装置および受信装置について説明する。本実施の形態においても、図１および図２の例で示される送信装置Ａおよび受信装置Ｂを用いるため、その構成については説明を省略する。但し、本実施の形態では、ＨＡＲＱのＲＶ（冗長バージョン）によってコードブロック結合順序が一意に決定するところが第１の実施の形態と異なる。
【００４１】
図５は、本実施の形態によるコードブロックの結合順序の一例を表す図である。図５に示すように、送信時のＲＶに対応して、それぞれ異なるコードブロック（ＣＢ）７３の結合順序が割り当てられており、送信装置Ａ内のコードブロック結合順序記憶部５ａと受信装置Ｂ内のコードブロック結合順序記憶部３５ａに格納されている。送信装置Ａ内のコードブロック結合部５ｄ、および、受信装置Ｂ内のコードブロック分離部３５ｄでは、上位レイヤ３３あるいは制御情報受信処理部３７から入力される制御情報に含まれるＲＶの値に対応したコードブロック結合順序を、コードブロック結合順序記憶部５ａあるいは３５ａから読み出して、それぞれの処理を行う。
【００４２】
図６は、本実施の形態による送信装置および受信装置を用いて通信した場合のシーケンスの一例を示す図である。図４で示される第１の実施の形態の通信シーケンス図と異なる点は、コードブロックの結合順序の決定に、ＲＶの値を用いるところである。すなわち、初回送信時はＲＶ＝０で送信されるため、トランスポートブロックコードワードは図５に従い、コードブロック１，２，３，４，５，６の順番で結合されて送受信される（Ｌ１１、Ｌ１２、９１）。その後、再送時１回目（ＲＶ＝１）および２回目（ＲＶ＝２）においても同様に、それぞれコードブロック３，４，５，６，１，２、コードブロック５，６，１，２，３，４の順序で結合されて送受信される（Ｌ１３からＬ１６、９３、９５）。
【００４３】
このように、本発明の第２の実施の形態による送信装置Ａおよび受信装置Ｂによれば、複数の通信品質の異なる周波数帯域を使用して、複数のコードブロックで構成されるトランスポートブロックを送信する場合でも、ＨＡＲＱのＲＶに応じてコードブロックの結合順序を変えることができる。従って、制御情報に特別な情報を含めることなく、特定のコードブロックが常に同じ周波数帯域に割り当てられて送信されることがなくなるため、コードブロック毎の通信品質の偏りを抑制することができ、効率的な通信を行うことができるという利点がある。
【００４４】
（第３の実施の形態）
次に、本発明の第３の実施の形態による送信装置および受信装置について説明する。本実施の形態においても、図１および図２に例示した送信装置Ａおよび受信装置Ｂを用いることができるため、その構成についての説明を省略する。但し、本実施の形態では、送受信回数によってコードブロック結合順序を一意に決定するところが第１、第２の実施の形態と異なる点である。
【００４５】
図７は、本実施の形態におけるコードブロックの結合順序の一例を表す図である。図７に示すように、送信回数（図では、１から６までが示されている。）に対応して、それぞれ異なるコードブロック（ＣＢ）１０１の結合順序が割り当てられており、送信装置Ａ内のコードブロック結合順序記憶部５ａと受信装置Ｂ内のコードブロック結合順序記憶部３５ａに、結合順序が格納されている。送信装置Ａ内のコードブロック結合部５ｄ、および、受信装置Ｂ内のコードブロック分離部３５ｄでは、送受信回数に対応したコードブロック結合順序を、コードブロック結合順序記憶部５ａあるいは３５ａから読み出して、それぞれの処理を行う。
【００４６】
ここで、送信回数と結合順序とは、送信回数に応じて、一意に結合順序が決まるようになっており、例えば、その結合順序は予め仕様などで定義されている。
【００４７】
図８は、本実施の形態の送信装置Ａおよび受信装置Ｂを用いて通信した場合のシーケンスの一例を示す図である。図４あるいは図６で示される第１あるいは第２の実施の形態の通信シーケンス図と異なる点は、コードブロックの結合順序の決定に、送信回数を用いる点である。すなわち、初回送信時（送信１回目）のトランスポートブロックコードワードは、図７に従い、コードブロック１，２，３，４，５，６の順番で結合されて送受信される（Ｌ２１・Ｌ２２、１１１）。その後、再送１回目（送信２回目）および再送２回目（送信３回目）においても同様に、それぞれコードブロック３，４，５，６，１，２（Ｌ２３・Ｌ２４、１１３）、コードブロック５，６，１，２，３，４（Ｌ２５・Ｌ２６、１１５）の順序で結合されて送受信される。
【００４８】
このように、本発明の第３の実施の形態による送信装置および受信装置によれば、複数の通信品質の異なる周波数帯域を使用して、複数のコードブロックで構成されるトランスポートブロックを送受信する場合でも、送信回数に応じてコードブロックの結合順序を変えることができる。従って、制御情報に特別な情報を含めることなく、特定のコードブロックが常に同じ周波数帯域に割り当てられて送信されないようにすることができるため、コードブロック毎の通信品質の偏りを抑制することができ、効率的な通信を行うことができる。
【００４９】
（第４の実施の形態）
次に、本発明の第４の実施の形態による送信装置および受信装置について説明する。図９および図１０は、本実施の形態による送信装置Ｃおよび受信装置Ｄの一構成例を示す機能ブロック図である。図１および図２で示される送信装置Ａおよび受信装置Ｂと異なる点は、コードブロック結合順序記憶部が設けられていない点であり、それ以外の構成は図１および図２と同じであるため、その説明を省略する。
【００５０】
図１１は、本実施の形態の送信装置Ｃ内のコードブロック結合部（５ｄ）における、各コードブロックコードワード結合方法の一例を示す図である。図１１で示すように、まず、コードブロック１（ＣＢ１）からコードブロックｎ（ＣＢｎ：最後尾のコードブロック）までの第０ビットを順番に結合していく。次に、コードブロック１からコードブロックｎの第１ビットを順番に結合していく。以降、コードブロックの最後尾ビットまでこれを繰り返して、トランスポートブロックコードワードを作成する（矢印ＡＲ参照）。一方、本実施の形態による受信装置Ｄ内のコードブロック分離部３５ｄでは、受信したトランスポートブロックコードワードに対して、送信装置Ｃ内コードブロック結合部５ｄと逆の処理を行い、各コードブロックコードワードに分離する。
【００５１】
図１２は、図１１で示されるように構成されたトランスポートブロックコードワードが、マッピング部において複数の周波数帯域にどのようにマッピングされるかの一例を表した図である。図１２で示すように、各コードブロックのコードワードが、各周波数帯域に均等にマッピングされるため、周波数帯域毎に通信品質が異なる場合でも、コードブロック毎の通信品質の偏りをなくすことができる。
【００５２】
このように、本発明の第４の実施の形態による送信装置Ｃおよび受信装置Ｄによれば、複数の通信品質の異なる周波数帯域を使用して、複数のコードブロックで構成されるトランスポートブロックを送受信する場合でも、各コードブロックを均等に各周波数帯域にマッピングすることが可能となり、各コードブロックの通信品質の偏りを抑えることができるため、効率的な通信が可能となる。
【００５３】
（第５の実施の形態）
次に、本発明の第５の実施の形態による送信装置および受信装置について説明する。本実施の形態では、トランスポートブロックの送受信を行う前に、コードブロックの結合順序を変更するかしないか、また変更する場合はどの結合順序変更方式を使うかを、予め送信装置から受信装置に通知しておくことを特徴としている。この通知方法には、上位レイヤ間での通信、例えばＲＲＣシグナリングによって行うことができる。
【００５４】
図１３は、送信装置から受信装置に対して通知される、コードブロック結合順序変更通知の一例を示す図である。図１３に示すように、値が１から４に、それぞれ本発明の実施の形態１から４までにおいて説明したコードブロック結合順序の決定方式が割り当てられており、これらの値を指定したコードブロック結合順序変更通知が送信装置から受信装置に通知されると、次回以降のトランスポートブロックの送受信においては、その値に対応したコードブロック結合順序の決定方式が使用されるようになっている。また、コードブロック結合順序変更通知の値が０の場合は、コードブロックの結合順序変更は行われず、コードブロックは先頭のものから順番に結合されることになる。
【００５５】
図１４は、本実施の形態における、送信装置Ｅと受信装置Ｆとの間の通信シーケンスを示す図である。なお、送信装置Ｅおよび受信装置Ｆは、本発明の実施の形態１から４までの機能をすべて含んでいるものとする。まず、送信装置Ｅから受信装置Ｆに対して、値を２に設定したコードブロック結合順序変更通知が送信される（Ｌ３１）。その次に送られるトランスポートブロック１および２は、コードブロックの結合順序決定方式として図１３において値２で指定されているＲＶ参照方式を使用して、送受信される（Ｌ３２、Ｌ３３）。
【００５６】
次に、送信装置Ｅから受信装置Ｆに対して、値を４に設定したコードブロック（ＣＢ）結合順序変更通知が送信される（Ｌ３４）。その次に送られるトランスポートブロック（ＴＢ）３および４は、コードブロックの結合順序決定方式として図１３において値４で指定されているビットインタレース方式を使用して、送受信される（Ｌ３５、Ｌ３６）。次に、送信装置から受信装置に対して、値を０に設定したコードブロック（ＣＢ）結合順序変更通知が送信されと（Ｌ３７）、その次以降に送られるトランスポートブロック（ＴＢ）５および６は、コードブロックの結合順序の変更なしに、コードブロックを１から順番に結合して送信される（Ｌ３８・Ｌ３９）。
【００５７】
このように、本実施の形態による送信装置および受信装置によれば、複数のコードブロックで構成されるトランスポートブロックを送受信する場合に、コードブロックの結合順序を変更するかしないか、結合順序を変更する場合はどのように結合順序を変更するか、をＲＲＣシグナリングなどの上位レイヤ間での通信によって指定することができる。
【００５８】
以上、本発明の各実施形態について図面を参照して詳述してきたが、具体的な構成は上記実施形態に限定されるものではなく、この発明の要旨を逸脱しない範囲の設計等が可能であり、これらについても本発明の範囲に含まれるものである。
【００５９】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
【００６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００６２】
本発明は、通信装置に利用可能である。
【図面の簡単な説明】
【００６３】
【図１】本発明の第１の実施の形態による送信装置の一構成例を示す機能ブロック図である。
【図２】本発明の第１の実施の形態による受信装置の一構成例を示す機能ブロック図である。
【図３】本実施の形態によるコードブロックの結合順序の一例を表す図である。
【図４】本実施の形態による送信装置および受信装置を用いて通信した場合のシーケンスの一例を示す図である。
【図５】本発明の第２の実施の形態によるコードブロックの結合順序の一例を表す図である。
【図６】本実施の形態による送信装置および受信装置を用いて通信した場合のシーケンスの一例を示す図である。
【図７】本発明の第３の実施の形態におけるコードブロックの結合順序の一例を表す図である。
【図８】本実施の形態の送信装置Ａおよび受信装置Ｂを用いて通信した場合のシーケンスの一例を示す図である。
【図９】本発明の第４の実施の形態による送信装置の一構成例を示す機能ブロック図である。
【図１０】本実施の形態による受信装置の一構成例を示す機能ブロック図である。
【図１１】本実施の形態の送信装置内のコードブロック結合部（５ｄ）における、各コードブロックコードワード結合方法の一例を示す図である。
【図１２】図１１で示されるように構成されたトランスポートブロックコードワードが、マッピング部において複数の周波数帯域にどのようにマッピングされるかの一例を表した図である。
【図１３】発明の第５の実施の形態による送信装置から受信装置に対して通知される、コードブロック結合順序変更通知の一例を示す図である。
【図１４】本実施の形態における、送信装置Ａと受信装置Ｂとの間の通信シーケンスを示す図である。
【図１５】Ｅ−ＵＴＲＡにおけるデータの送信方法の例を示す図である。
【符号の説明】
【００６４】
Ａ…送信装置、１…機能部、３…上位レイヤ、５…トランスポートブロック送信処理部、７…制御情報送信処理部、１１…受信結果情報受信処理部、１５…マッピング部、１７…アンテナ部、２１…制御情報、２３…トランスポートブロック、２５…受信結果情報。
【図１】
2010093449.tif 000003
【図２】
2010093449.tif 000004
【図３】
2010093449.tif 000005
【図４】
2010093449.tif 000006
【図５】
2010093449.tif 000007
【図６】
2010093449.tif 000008
【図７】
2010093449.tif 000009
【図８】
2010093449.tif 000010
【図９】
2010093449.tif 000011
【図１０】
2010093449.tif 000012
【図１１】
2010093449.tif 000013
【図１２】
2010093449.tif 000014
【図１３】
2010093449.tif 000015
【図１４】
2010093449.tif 000016
【図１５】
2010093449.tif 000017